(57)【要約】【課題】本発明は、極めて商品価値の高い画期的な建築材切断用受け台を提供することを目的とする。【解決手段】石膏ボード，窯業系サイディングボード，平板，角材などの建築材１を切断する際に使用する建築材切断用受け台であって、積層された前記建築材１の上方位置の建築材１を側方に所定量スライド移動させ、切断具Ｋで切断する際、前記スライド移動させた部分を受ける受け部２と、この受け部２を昇降させる昇降部４とを有し、この昇降部４は、前記受け部２を前記建築材１の厚みに相当する距離単位で段階的に降下させる段階的降下機構７を具備するものである。【選択図】図１
2013031899.tif 000002
【特許請求の範囲】
【請求項１】
石膏ボード，窯業系サイディングボード，平板，角材などの建築材を切断する際に使用する建築材切断用受け台であって、積層された前記建築材の上方位置の建築材を側方に所定量スライド移動させ、切断具で切断する際、前記スライド移動させた部分を受ける受け部と、この受け部を昇降させる昇降部とを有し、この昇降部は、前記受け部を前記建築材の厚みに相当する距離単位で段階的に降下させる段階的降下機構を具備することを特徴とする建築材切断用受け台。
【請求項２】
請求項１記載の建築材切断用受け台において、前記昇降部は、設置体と、この設置体に昇降スライド自在に連結され前記受け部を上部に設けた上体とから成り、前記段階的降下機構は、前記上体若しくは前記設置体に前記受け部の昇降方向に間隔を介して並設される複数の係合受部と、前記設置体若しくは前記上体に設けられ前記係合受部に係合解除自在に係合する第一係合部とを有し、隣接する前記係合受部同士の間隔は、前記建築材の厚みと同一に設定されていることを特徴とする建築材切断用受け台。
【請求項３】
請求項２記載の建築材切断用受け台において、隣接する前記係合受部同士の間隔は可変可能に構成されていることを特徴とする建築材切断用受け台。
【請求項４】
請求項２，３いずれか１項に記載の建築材切断用受け台において、前記係合受部に対する前記第一係合部の係合が解除された場合、前記上体は前記設置体に対して自重により降下スライドするように構成されていることを特徴とする建築材切断用受け台。
【請求項５】
請求項２〜４いずれか１項に記載の建築材切断用受け台において、前記設置体若しくは前記上体に設けた擺動体に前記第一係合部が設けられ、前記擺動体を擺動させた際、前記係合受部から前記第一係合部が係合解除するように構成されていることを特徴とする建築材切断用受け台。
【請求項６】
請求項５記載の建築材切断用受け台において、前記擺動体には、この擺動体を擺動させて一の前記係合受部から前記第一係合部を係合解除させた際、この一の係合受部よりも下方に位置する係合受部に係合する第二係合部が設けられていることを特徴とする建築材切断用受け台。
【請求項７】
請求項６記載の建築材切断用受け台において、前記一の係合受部に対する前記第一係合部の係合解除が行われた場合、前記上体が前記設置体に対して自重により降下スライドするとともに、前記擺動体が戻り擺動して前記一の係合受部よりも上方の他の係合受部に前記第一係合部が係合するように構成されていることを特徴とする建築材切断用受け台。
【発明の詳細な説明】
【技術分野】
【０００１】
本発明は、例えば石膏ボード，窯業系サイディングボード，平板，角材などの建築材を切断する際に使用する建築材切断用受け台に関するものである。
【背景技術】
【０００２】
従来から、例えば建築現場にて石膏ボードや窯業系サイディングボードなどの建築材を切断する場合、複数の建築材を積層し、この積層した建築材のうち、切断する建築材と、この建築材の下側の建築材との間に下敷となる木製の板材を配して切断具で切断している。
【発明の概要】
【発明が解決しようとする課題】
【０００３】
しかしながら、前述したように切断する建築材と、この建築材の下側の建築材との間に下敷きとなる板材を配するには、その都度、重量のある建築材を持ち上げなければならず、非常に厄介で作業性が悪く（腰痛になるなど作業者の負担が極めて大きい）、ひいては建築工事全体の工期延長の原因にもなっている。この問題は切断する建築材の数が多くなるほど顕著となる。
【０００４】
本発明は、前述した問題点を解消する、極めて商品価値の高い画期的な建築材切断用受け台を提供する。
【課題を解決するための手段】
【０００５】
添付図面を参照して本発明の要旨を説明する。
【０００６】
石膏ボード，窯業系サイディングボード，平板，角材などの建築材１を切断する際に使用する建築材切断用受け台であって、積層された前記建築材１の上方位置の建築材１を側方に所定量スライド移動させ、切断具Ｋで切断する際、前記スライド移動させた部分を受ける受け部２と、この受け部２を昇降させる昇降部４とを有し、この昇降部４は、前記受け部２を前記建築材１の厚みに相当する距離単位で段階的に降下させる段階的降下機構７を具備することを特徴とする建築材切断用受け台に係るものである。
【０００７】
また、請求項１記載の建築材切断用受け台において、前記昇降部４は、設置体５と、この設置体５に昇降スライド自在に連結され前記受け部２を上部に設けた上体６とから成り、前記段階的降下機構７は、前記上体６若しくは前記設置体５に前記受け部２の昇降方向に間隔Ｌを介して並設される複数の係合受部８と、前記設置体５若しくは前記上体６に設けられ前記係合受部８に係合解除自在に係合する第一係合部９とを有し、隣接する前記係合受部８同士の間隔Ｌは、前記建築材１の厚みと同一に設定されていることを特徴とする建築材切断用受け台に係るものである。
【０００８】
また、請求項２記載の建築材切断用受け台において、隣接する前記係合受部８同士の間隔Ｌは可変可能に構成されていることを特徴とする建築材切断用受け台に係るものである。
【０００９】
また、請求項２，３いずれか１項に記載の建築材切断用受け台において、前記係合受部８に対する前記第一係合部９の係合が解除された場合、前記上体６は前記設置体５に対して自重により降下スライドするように構成されていることを特徴とする建築材切断用受け台に係るものである。
【００１０】
また、請求項２〜４いずれか１項に記載の建築材切断用受け台において、前記設置体５若しくは前記上体６に設けた擺動体10に前記第一係合部９が設けられ、前記擺動体10を擺動させた際、前記係合受部８から前記第一係合部９が係合解除するように構成されていることを特徴とする建築材切断用受け台に係るものである。
【００１１】
また、請求項５記載の建築材切断用受け台において、前記擺動体10には、この擺動体10を擺動させて一の前記係合受部８から前記第一係合部９を係合解除させた際、この一の係合受部８よりも下方に位置する係合受部８に係合する第二係合部12が設けられていることを特徴とする建築材切断用受け台に係るものである。
【００１２】
また、請求項６記載の建築材切断用受け台において、前記一の係合受部８に対する前記第一係合部９の係合解除が行われた場合、前記上体６が前記設置体５に対して自重により降下スライドするとともに、前記擺動体10が戻り擺動して前記一の係合受部８よりも上方の他の係合受部８に前記第一係合部９が係合するように構成されていることを特徴とする建築材切断用受け台に係るものである。
【発明の効果】
【００１３】
本発明は上述のように構成したから、前述した従来から行われていた切断作業に比し、建築材を簡易且つ迅速に切断することができ、ひいては建築工事全体の工期短縮も達成されることになるなど、極めて商品価値の高い画期的な建築材切断用受け台となる。
【図面の簡単な説明】
【００１４】
【図１】本実施例を示す斜視図である。
【図２】本実施例に係る要部の説明断面図である。
【図３】本実施例に係る要部の分解斜視図である。
【図４】本実施例に係る要部の動作説明図である。
【図５】本実施例の使用状態説明図である。
【図６】本実施例の使用状態説明図である。
【図７】本実施例に係る要部の説明断面図である。
【図８】本実施例の使用状態説明図である。
【図９】本実施例に係る要部の説明断面図である。
【図１０】本実施例の使用状態説明図である。
【図１１】本実施例に係る要部の説明断面図である。
【図１２】本実施例に係る要部の別例である。
【発明を実施するための形態】
【００１５】
好適と考える本発明の実施形態を、図面に基づいて本発明の作用を示して簡単に説明する。
【００１６】
本発明に係る建築材切断用受け台を、積層した建築材１の側方に配置する。
【００１７】
この積層した建築材１のうち、例えば最上位の建築材１を、その下側の建築材１の上面を摺動させて側方へスライド移動させ、この側方へスライド移動させた建築材１を受け部２で支持する。即ち、この側方へスライド移動させた建築材１を受け部２と積層されている建築材１とで架設状態に支持する。
【００１８】
続いて、この支持した建築材１を、受け部２を下敷きとして所定の位置で切断具Ｋにより切断する。
【００１９】
続いて、同様に下側の建築材１の最上位の建築材１を切断する場合には、昇降部４により受け部２を降下させる。この降下は、昇降部４に具備せしめた段階的降下機構７により、建築材１の厚みに相当する距離単位での降下となる。
【００２０】
続いて、前述したように切断する建築材１を側方へスライド移動させ、段階的降下機構７により降下させた受け部２を下敷きとして切断作業を行うことになる。
【００２１】
以上の作業を繰り返して積層した建築材１を順次切断する。
【００２２】
従って、前述した従来から行われていた切断作業と異なり、重量のある切断前の建築材１を持ち上げる必要が無いから、建築材１を簡易且つ迅速に切断することができ、しかも、受け部２を建築材１の厚みに相当する距離単位で降下させるから、建築材１を架設状態に支持する下側の建築材１と受け板部２とに高さの差異が生じることが無く、建築材１を水平に支持した状態で良好に切断することができる。
【実施例】
【００２３】
本発明の具体的な一実施例について図面に基づいて説明する。
【００２４】
本実施例は、石膏ボード，窯業系サイディングボード，平板，角材などの建築材１を切断する際に使用する建築材切断用受け台であって、積層された建築材１の上方位置の建築材１を側方に所定量スライド移動させ、切断具Ｋで切断する際、スライド移動させた部分を受ける受け部２と、この受け部２を昇降させる昇降部４とを有するものである。
【００２５】
以下、本実施例に係る構成各部について詳細な説明をする。
【００２６】
受け部２は、図１，２に図示したように適宜な合板（厚さ１２ｍｍ程度）から成る基板２ａと、この基板２ａの上面に重合状態に設けられる発泡樹脂板２ｂとで構成されている。
【００２７】
基板２ａは、後述する上体６にビス18を介して着脱自在（取り換え自在）に設けられている。
【００２８】
従って、巾や奥行きなど適宜な寸法の受け部２と取り換えることができる。
【００２９】
この発泡樹脂板２ｂは、切断具Ｋにより建築材１を切断する際、建築材１とともに切断されても良いものであり、基板２ａにビス13を介して着脱自在（取り換え自在）に設けられている。
【００３０】
また、受け部２の下面中央位置には昇降部４が設けられている。
【００３１】
この昇降部４は、設置体５と、この設置体５に昇降スライド自在に連結する上体６とから成るものである。
【００３２】
設置体５は、図１，２に図示したように適宜な金属製の部材で形成した角筒状体であり、この設置体５の四つの周面にして対向二面には折り畳み自在な脚部材14が複数（２つずつ）設けられ、これら脚部材14を介して自立するように構成されている。
【００３３】
また、設置体５には後述する上体６が昇降スライド自在に嵌挿され、設置体５に対して上体６は自重により降下スライドするように構成されている。尚、設置体５を上体６に対して嵌挿する構造でも良い。
【００３４】
上体６は、図１，２に図示したように適宜な金属製の部材で形成した角棒状体であり、この上体６の上端部は、受け部２（基板２ａ）の下面中央位置に溶接にて連結されている。
【００３５】
従って、受け部２は、設置体５に対する上体６の昇降スライドに伴い昇降することになる。
【００３６】
また、昇降部４には、受け部２を段階的に降下させる段階的降下機構７が設けられている。
【００３７】
この段階的降下機構７は、上体６に受け部２の昇降方向に間隔Ｌを介して並設される複数の凸部から成る係合受部８と、設置体５に設けられ係合受部８に係合解除自在に係合する凸部から成る第一係合部９とを有している。
【００３８】
係合受部８は、図１〜４に図示したように上体６の周面に付設される長尺基部材８’の表面に並設されており、この各係合受部８（第一係合部９が係合する被係合面８ａ）同士の間隔Ｌは、建築材１の一枚分の厚みと同一に設定されている。
【００３９】
従って、段階的降下機構７は、この降下する係合受部８に対して第一係合部９が一段ずつ係合することで、受け部２を建築材１の厚みに相当する距離単位で段階的に降下させることになる。
【００４０】
また、本実施例では、上体６における前述した間隔Ｌで係合受部８が並設される面と反対の面には、間隔Ｌ’で係合受部８が並設されている。
【００４１】
従って、設置体５から上体６を引き抜いて向きを変えて嵌挿することで、建築材１によって違う厚みに対応して係合受部８同士の間隔Ｌを可変することができる。
【００４２】
第一係合部９は、図１〜３に図示したように設置体５に設けた擺動体10に設けられている。
【００４３】
具体的には、この擺動体10は、適宜な金属製の部材で形成した長尺体であり、基部材15に擺動自在に枢着されており、この擺動体10の上部内面には第一係合部９が突出状態に設けられている。
【００４４】
また、基部材15は、設置体５の上端部に設けたケース状の取付部５ａに昇降スライド自在に設けられており、取付部５ａの底部に設けられた昇降移動体16を昇降させることで、当該基部材15は昇降するように構成されている。
【００４５】
具体的には、昇降移動体16は、取付部５ｂの底部に溶接されたナット部材から成る螺子孔部19に螺着され、よって、昇降移動体16は螺動させることで昇降する。
【００４６】
従って、この基部材15の昇降より擺動体10は昇降し、これに伴い、擺動体10に設けられた第一係合部９が昇降することで該第一係合部９が係合する係合受部８が設けられた上体６も昇降し、よって、受け部２を昇降することができる（図４参照）。このことから、最初に切断する建築材１の高さに合わせて受け部２の高さを調整することができる。
【００４７】
また、擺動体10には、この擺動体10を擺動させて一の係合受部８から第一係合部９を係合解除させた際、この一の係合受部８よりも下方の係合受部８に当接する第二係合部12が設けられている。
【００４８】
この第二係合部12は、擺動体10の下部内面に突出状態に設けられており、係合受部８に当接する上面が湾曲面に設定されており、本実施例では、一の係合受部８から第一係合部９が係合解除することで設置体５に対して上体６が自重により降下スライドした際、第二係合部12が係合受部８を乗り上がり摺動することで、擺動体10が戻り擺動して一の係合受部８よりも一段上方の他の係合受部８に第一係合部９が係合するように構成されている。
【００４９】
尚、擺動体10は、係合受部８同士の間隔を可変する場合には、第一係合部９と第二係合部12との間隔が異なる別の擺動体10に取り換えることになる。
【００５０】
また、擺動体10は、擺動作動部11の作動により擺動自在に設けられている。
【００５１】
この擺動作動部11は、足踏み部11ａと、この足踏み部11ａを踏み込むことで引動されるワイヤー部11ｂとを有し、このワイヤー部11ｂは擺動体10の上部外面に連設されている。
【００５２】
従って、足踏み部11ａを踏み込むとワイヤー部11ｂが引っ張られ、これにより擺動体10が擺動した際、係合受部８から第一係合部９が係合解除するように構成されている。
【００５３】
尚、擺動作動部11は前述した足踏み操作タイプの他、図12に図示したように握持操作によりワイヤー部11ｂを引動する手動操作タイプとしても良い。
【００５４】
尚、設置体５に係合受部８を設けてこの係合受部８に係合する第一係合部９を上体６に設けても良い。
【００５５】
以上の構成から成る本実施例に係る建築材切断用受け台を使用した建築材１の切断方法について説明する。
【００５６】
まず、建築材切断用受け台を載置台17に積層した建築材１の側方に配置する。
【００５７】
続いて、必要に応じて昇降移動体16を螺動させて擺動体10を昇降させ、最初に切断する建築材１の高さに合わせて受け部２の高さを調整する（図４参照）。
【００５８】
続いて、積層した建築材１のうち最上位の建築材１を、その建築材１の下側の建築材１の上面を摺動させて側方へスライド移動させ、この側方へスライド移動させた建築材１を受け部２で支持する（図５参照）。即ち、この側方へ移動させた建築材１を受け部２と下側の建築材１とで架設状態に支持する。
【００５９】
続いて、この支持した建築材１を、受け部２を下敷きとして所定の位置で切断具Ｋにより切断する（図６参照）。
【００６０】
続いて、同様に下側の建築材１の最上位の建築材１を切断する場合には、昇降部４により受け部２を降下させる。この降下は、昇降部４に具備せしめた段階的降下機構７により、建築材１の厚みに相当する距離単位での降下となる。
【００６１】
具体的には、擺動作動部11を足踏み操作すると、擺動体10は擺動して一の係合受部８から第一係合部９が係合解除し、この一の係合受部８よりも下方の係合受部８に第二係合部12が係合する（図７，８，９参照）。
【００６２】
続いて、擺動操作部11に対する足踏み操作を解除すると、設置体５に対して上体６が自重で降下スライドし、この際、第二係合部12が係合受部８を乗り上がり摺動することで、擺動体10が戻り擺動して一の係合受部８よりも一段上方の他の係合受部８に対して第一係合部９が係合し（図10参照）、受け部２は建築材１の厚みに相当する距離単位だけ降下して停止する（図11参照）。
【００６３】
続いて、前述したように切断する建築材１を側方へスライド移動させ、段階的降下機構７により段階的に降下させた受け部２を下敷きとして切断作業を行うことになる。尚、切断する建築材１を側方へスライド移動させて受け部２で支持した後、段階的降下機構７により受け部２を建築材１の厚みに相当する距離単位で降下させても良い。
【００６４】
以上の作業を順次繰り返して積層した建築材１を切断する。
【００６５】
尚、本実施例では、建築材１一枚ずつ切断しているが、複数枚の建築材１を一緒に切断しても良く、この場合、段階的降下機構７を適宜操作してその枚数に相当する距離だけ受け部２を降下させることになる。
【００６６】
本実施例は上述のように構成したから、前述した従来と異なり、重量のある切断前の建築材１を持ち上げる必要が無いから、建築材１を簡易且つ迅速に切断することができ、しかも、受け部２をしかも、受け部２を建築材１の厚みに相当する距離単位で降下させるから、建築材１を架設状態に支持する下側の建築材１と受け板部２とに高さの差異が生じることが無く、建築材１を水平に支持した状態で良好に切断することができる。
【００６７】
また、本実施例は、昇降部４は、設置体５と、この設置体５に昇降スライド自在に連結され受け部２を上部に設けた上体６とから成り、段階的降下機構７は、上体６若しくは設置体５に受け部２の昇降方向に間隔Ｌを介して並設される複数の係合受部８と、設置体５若しくは上体６に設けられ係合受部８に係合解除自在に係合する第一係合部９とを有し、隣接する凸８同士の間隔Ｌは、建築材１の厚みと同一に設定されているから、前述した作用効果が簡易且つ確実に得られることになる。
【００６８】
また、本実施例は、隣接する凸８同士の間隔Ｌは可変可能に構成されているから、異なる厚さの建築材１に対応して切断することができる。
【００６９】
また、本実施例は、係合受部８に対する第一係合部９の係合を解除した際、設置体５に対して上体６は自重で降下スライドするように構成されているから、前述した作用効果が簡易且つ確実に得られることになる。
【００７０】
また、本実施例は、擺動体10には、この擺動体10を擺動させて一の係合受部８から第一係合部９を係合解除させた際、この一の係合受部８よりも下方の係合受部８に当接する第二係合部12が設けられ、一の係合受部８から第一係合部９が係合解除することで設置体５に対して上体６が自重で降下スライドした際、第二係合部12が係合受部８を乗り上がり摺動することで、擺動体10が戻り擺動して一の係合受部８よりも上方の他の係合受部８に対して第一係合部９が係合するように構成されているから、受け部２を建築材１の厚みに相当する距離単位で段階的に降下させる構造が簡易且つ確実に得られることになる。
【００７１】
尚、本発明は、本実施例に限られるものではなく、各構成要件の具体的構成は適宜設計し得るものである。
【符号の説明】
【００７２】
Ｋ  切断具
Ｌ  間隔
１  建築材
２  受け部
４  昇降部
５  設置体
６  上体
７  段階的降下機構
８  係合受け部
９  第一係合部
10  擺動体
12  第二係合部
【図１】
2013031899.tif 000003
【図２】
2013031899.tif 000004
【図３】
2013031899.tif 000005
【図４】
2013031899.tif 000006
【図５】
2013031899.tif 000007
【図６】
2013031899.tif 000008
【図７】
2013031899.tif 000009
【図８】
2013031899.tif 000010
【図９】
2013031899.tif 000011
【図１０】
2013031899.tif 000012
【図１１】
2013031899.tif 000013
【図１２】
2013031899.tif 000014